(57)【特許請求の範囲】
【請求項１】
画像を表示するための表示部と、
前記表示部を制御するための制御部と、
画素データが印加される複数の信号線、走査信号が印加される複数の走査線、及び前記各信号線と前記各走査線との交差箇所に設けられた複数の画素領域を有し、これらの画素領域のうちの前記走査信号によって選択された走査線上の画素領域に前記画素データを供給することによって画像を表示する表示パネルと、
クロック信号をカウントしたカウント値に基づいて第１の画素選択用アドレスを発生する第１のアドレス発生部と、
前記クロック信号をカウントしたカウント値に基づいて前記第１の画素選択用アドレスと同一の第２の画素選択用アドレスを発生する第２のアドレス発生部と、
逐次入力される画像データの１フレーム分のフレーム画像データを記憶し、該フレーム画像データから前記第１の画素選択用アドレスに対応する画素データを読み出す画像データ記憶部と、
前記各信号線のうちの前記第２の画素選択用アドレスに対応する信号線に前記画素データを送出する信号線駆動回路と、
前記各走査線のうちの前記第２の画素選択用アドレスに対応する走査線に前記走査信号を送出する走査線駆動回路とを備えてなることを特徴とする電子機器。
【請求項２】
前記表示パネル、第２のアドレス発生部、信号線駆動回路及び走査線駆動回路が前記表示部に設けられていることを特徴とする請求項１記載の電子機器。
【請求項３】
前記第１のアドレス発生部及び画像データ記憶部が前記制御部に設けられていることを特徴とする請求項１記載の電子機器。
【請求項４】
前記表示パネル、第２のアドレス発生部、信号線駆動回路及び走査線駆動回路が前記表示部に設けられ、かつ、
前記第１のアドレス発生部及び画像データ記憶部が前記制御部に設けられていることを特徴とする請求項１記載の電子機器。
【請求項５】
前記表示部と前記制御部とが蝶番を介して接続されていることを特徴とする請求項１記載の電子機器。
【請求項６】
前記表示パネルは、
ＬＣＤ（Liquid Crystal Display）又はＥＬ（Electro Luminescent panel ）で構成されていることを特徴とする請求項１、２、３、４又は５記載の電子機器。
【発明の詳細な説明】
【０００１】
【発明の属する技術分野】
この発明は、表示部を備える電子機器に係り、詳しくは、動揺や振動が発生する環境で使用される携帯電話機に用いて好適な電子機器に関する。
【０００２】
【従来の技術】
携帯電話機や携帯情報端末などの携帯用電子機器は、近年の通信速度の上昇により、扱うデータ量が増大している。これらの携帯用電子機器の付帯機能が向上することに伴い、その表示部は、静止画の他、動画も表示するようになってきたため、より精彩な表示機能が要求されている。
【０００３】
この種の画像表示装置は、従来では例えば図１３に示すように、カウンタ１と、アドレスデコーダ２と、画像データメモリ３と、信号線駆動回路４と、走査線駆動回路５と、液晶パネル６とから構成されている。カウンタ１は、リセット信号Ｒによってリセットされた後、クロック信号ｃｋをカウントしてカウント値ａ１を出力する。アドレスデコーダ２は、カウント値ａ１をデコードして画素選択用アドレスａ２，ａｘ，ａｙを出力する。画像データメモリ３は、逐次入力される画像データＶＤの１フレーム分のフレーム画像データを記憶し、同フレーム画像データから画素選択用アドレスａ２に対応するＲ（赤）Ｇ（緑）Ｂ（青）の画素データＤＲ，ＤＧ，ＤＢを読み出す。
【０００４】
信号線駆動回路４は、液晶パネル６の信号線Ｘ１，…，Ｘｎのうちの画素選択用アドレスａｘに対応する信号線に、前記読み出された画素データＤＲ，ＤＧ，ＤＢを画素データＰＤとして送出する。走査線駆動回路５は、液晶パネル６の走査線Ｙ１，…，Ｙｍのうちの画素選択用アドレスａｙに対応する走査線に走査信号Ｖを送出する。液晶パネル６は、画素データＰＤが印加される信号線Ｘ１，…，Ｘｎ、走査信号Ｖが印加される走査線Ｙ１，…，Ｙｍ、及び信号線Ｘ１，…，Ｘｎと走査線Ｙ１，…，Ｙｍとの交差箇所に設けられた複数の画素領域を有し、これらの画素領域のうちの走査信号Ｖによって選択された画素領域に画素データＰＤを供給することによって同画素データＰＤに対応した画像を表示する。
【０００５】
次に、この画像表示装置の動作を説明する。
この画像表示装置では、カウンタ１がリセット信号Ｒによって１フレーム毎にリセットされた後、同カウンタ１でクロック信号ｃｋがカウントされてカウント値ａ１が出力される。カウント値ａ１はアドレスデコーダ２でデコードされ、同アドレスデコーダ２から画素選択用アドレスａ２，ａｘ，ａｙが出力される。画像データメモリ３では、記憶されているフレーム画像データから画素選択用アドレスａ２に対応する画素データＤＲ，ＤＧ，ＤＢが読み出される。画素データＤＲ，ＤＧ，ＤＢは、信号線駆動回路４を経て液晶パネル６の信号線Ｘ１，…，Ｘｎのうちの画素選択用アドレスａｘに対応する信号線に画素データＰＤとして送出される。また、走査線駆動回路５では、液晶パネル６の走査線Ｙ１，…，Ｙｍのうちの画素選択用アドレスａｙに対応する走査線に走査信号Ｖが送出される。液晶パネル６では、各画素領域のうちの走査信号Ｖによって選択された画素領域に画素データＰＤが供給され、同画素データＰＤに対応した画像が表示される。この場合、図１４に示すように、画像を構成する各画素は、位置がｘ軸とｙ軸との座標（ｘ，ｙ）で表され、
0003596516.tif 000002
の順序で表示される。
【０００６】
しかしながら、この画像表示装置では、液晶パネル６の表示画面の中間階調を表示するために、画像データＶＤの連続するフレーム間で間引き処理（フレームレート制御階調法）が行われることがある。このため、画像データメモリ３における画像データＶＤの書換え周期が低下し、表示画面上で人間の目に認識されるちらつき、蛍光灯の光の表示画面に対する干渉によるちらつき、あるいはビデオカメラによる撮影時の画面操作の周期と表示画面との干渉によるちらつきが発生するという問題点がある。また、この画像表示装置が携帯用電子機器に内蔵される場合、同携帯用電子機器は、ユーザが乗物に乗っている状態で使用されるため、表示画面自体が動揺したり振動したりすることが原因で画面のちらつきが発生するという問題点がある。
【０００７】
これらの問題点を改善するものとして、例えば、特開２０００−２５８７５０  号公報に記載された画像表示装置（同公報では、液晶表示装置として説明されている）が提案されている。同公報に記載された画像表示装置では、液晶パネルの走査線が乱数に基づいた順序で走査され、同走査線の走査順序が各フレーム毎にランダムなる。このため、画面のちらつきが防止される。
【０００８】
【発明が解決しようとする課題】
しかしながら、上記公報に記載された画像表示装置では、次のような問題点があった。
すなわち、走査線の走査順序のみがランダムになるように構成されているので、縦方向（ｙ軸方向）の動揺や振動の対してのみ、画面のちらつきを防止する効果があるが、縦方向と横方向（ｘ軸方向）との動きが合成された斜め方向の周期的な動きによるちらつき、蛍光灯などの周辺照明による表示画面に対する干渉によるちらつき、あるいはビデオカメラによる撮影時の画面操作の周期と表示画面との干渉によるちらつきに対しては、殆ど効果がないという問題点がある。
【０００９】
また、図１３の画像表示装置が携帯用電子機器に内蔵される場合、次のような問題点がある。
すなわち、携帯用電子機器の筐体は、折り畳み式の場合、画像を表示するための表示部と、同表示部を制御するための制御部と、同表示部と同制御部とを接続するための蝶番とから構成されている。そして、制御部には、カウンタ１と、アドレスデコーダ２と、画像データメモリ３とが設けられ、表示部には、信号線駆動回路４と、走査線駆動回路５と、液晶パネル６とが設けられる。この場合、画素データＤＲ，ＤＧ，ＤＢ、画素選択用アドレスａｘ及び画素選択用アドレスａｙを伝送するための信号線は数百本になるが、実際に蝶番の部分に通過させることのできる信号線の数は、数十本程度が限度である。このため、全ての信号線を蝶番の部分に通過させることはできないという問題点がある。
【００１０】
この発明は、上述の事情に鑑みてなされたもので、蝶番の部分を通過する信号線を数十本程度に減らすことができ、このため、折り畳み式の筐体を有する電子機器が容易に実現できる電子機器を提供することを目的としている。
【００１１】
【課題を解決するための手段】
上記課題を解決するために、請求項１記載の発明は、電子機器に係り、画像を表示するための表示部と、前記表示部を制御するための制御部と、画素データが印加される複数の信号線、走査信号が印加される複数の走査線、及び前記各信号線と前記各走査線との交差箇所に設けられた複数の画素領域を有し、これらの画素領域のうちの前記走査信号によって選択された走査線上の画素領域に前記画素データを供給することによって画像を表示する表示パネルと、クロック信号をカウントしたカウント値に基づいて第１の画素選択用アドレスを発生する第１のアドレス発生部と、前記クロック信号をカウントしたカウント値に基づいて前記第１の画素選択用アドレスと同一の第２の画素選択用アドレスを発生する第２のアドレス発生部と、逐次入力される画像データの１フレーム分のフレーム画像データを記憶し、該フレーム画像データから前記第１の画素選択用アドレスに対応する画素データを読み出す画像データ記憶部と、前記各信号線のうちの前記第２の画素選択用アドレスに対応する信号線に前記画素データを送出する信号線駆動回路と、前記各走査線のうちの前記第２の画素選択用アドレスに対応する走査線に前記走査信号を送出する走査線駆動回路とを備えてなることを特徴としている。
【００１２】
また、請求項２記載の発明は、請求項１記載の電子機器に係り、前記表示パネル、第２のアドレス発生部、信号線駆動回路及び走査線駆動回路が前記表示部に設けられていることを特徴としている。
【００１３】
また、請求項３記載の発明は、請求項１記載の電子機器に係り、前記第１のアドレス発生部及び画像データ記憶部が前記制御部に設けられていることを特徴としている。
【００１４】
また、請求項４記載の発明は、請求項１記載の電子機器に係り、前記表示パネル、第２のアドレス発生部、信号線駆動回路及び走査線駆動回路が前記表示部に設けられ、かつ、前記第１のアドレス発生部及び画像データ記憶部が前記制御部に設けられていることを特徴としている。
【００１５】
また、請求項５記載の発明は、請求項１記載の電子機器に係り、前記表示部と前記制御部とが蝶番を介して接続されていることを特徴としている。
【００１６】
また、請求項６記載の発明は、請求項１、２、３、４又は５記載の電子機器に係り、前記表示パネルが、ＬＣＤ（Liquid Crystal Display）又はＥＬ（Electro Luminescent panel ）で構成されていることを特徴としている。
【００１９】
【発明の実施の形態】
以下、図面を参照して、この発明の実施の形態について説明する。
第１の実施形態
図１は、この発明の第１の実施形態である画像表示装置の電気的構成を示すブロック図である。
この形態の画像表示装置は、同図に示すように、アドレス発生回路１１と、アドレスデコーダ１２と、画像データメモリ１３と、信号線駆動回路１４と、走査線駆動回路１５と、液晶パネル１６とから構成されている。アドレス発生回路１１は、リセット信号Ｒによってリセットされた後、クロック信号ｃｋをカウントしてカウント値を生成する図示しないカウンタと、液晶パネル１６の全ての画素領域に対応するアドレスａ１１を予め保持し、同カウント値に基づいて同アドレスａ１１を無秩序に設定された順序で選択する図示しないメモリとを備えている。この場合、各アドレスを選択する順序は、例えば、液晶パネル１６を点順次走査する順序とは異なる順序に設定されている。
【００２０】
アドレスデコーダ１２は、アドレスａ１１をデコードして１フレーム分の画素選択用アドレスａＭ，ａｘ，ａｙを出力する。画像データメモリ１３は、逐次入力される画像データＶＤの１フレーム分のフレーム画像データを記憶し、同フレーム画像データから画素選択用アドレスａＭに対応するＲ（赤）Ｇ（緑）Ｂ（青）の画素データＤＲ，ＤＧ，ＤＢを読み出す。信号線駆動回路１４は、液晶パネル１６の信号線Ｘ１，…，Ｘｎのうちの画素選択用アドレスａｘに対応する信号線に、前記読み出された画素データＤＲ，ＤＧ，ＤＢを画素データＰＤとして送出する。走査線駆動回路１５は、液晶パネル１６の走査線Ｙ１，…，Ｙｍのうちの画素選択用アドレスａｙに対応する走査線に走査信号Ｖを送出する。液晶パネル１６は、画素データＰＤが印加される信号線Ｘ１，…，Ｘｎ、走査信号Ｖが印加される走査線Ｙ１，…，Ｙｍ、及び信号線Ｘ１，…，Ｘｎと走査線Ｙ１，…，Ｙｍとの交差箇所に設けられた複数の画素領域を有し、これらの画素領域のうちの走査信号Ｖによって選択された画素領域に画素データＰＤを供給することによって同画素データＰＤに対応した画像を表示する。
【００２１】
図２は、液晶パネル１６に表示される画素の順序の一例を示す図である。
この図を参照して、この形態の画像表示装置の動作について説明する。
この画像表示装置では、アドレス発生回路１１がリセット信号Ｒによってリセットされた後、同アドレス発生回路１１でクロック信号ｃｋがカウントされてカウント値が生成され、同カウント値に基づいてアドレスａ１１が予め設定された順序で選択されて出力される。アドレスａ１１はアドレスデコーダ１２でデコードされ、同アドレスデコーダ１２から画素選択用アドレスａＭ，ａｘ，ａｙが出力される。画像データメモリ１３では、記憶されているフレーム画像データから画素選択用アドレスａＭに対応する画素データＤＲ，ＤＧ，ＤＢが読み出される。画素データＤＲ，ＤＧ，ＤＢは、信号線駆動回路１４を経て液晶パネル１６の信号線Ｘ１，…，Ｘｎのうちの画素選択用アドレスａｘに対応する信号線に画素データＰＤとして送出される。また、走査線駆動回路１５では、液晶パネル１６の走査線Ｙ１，…，Ｙｍのうちの画素選択用アドレスａｙに対応する走査線に走査信号Ｖが送出される。液晶パネル１６では、各画素領域のうちの走査信号Ｖによって選択された画素領域に画素データＰＤが供給され、同画素データＰＤに対応した画像が表示される。
【００２２】
この場合、図２に示すように、液晶パネル１６の画像を構成する各画素は、位置がｘ軸とｙ軸との座標（ｘ，ｙ）で表され、例えば、
0003596516.tif 000003
の順序で表示される。この表示の順序は、液晶パネル１６を点順次走査する順序とは異なるものである。なお、この図２では、液晶パネル１６のｘ軸方向の画素数が１６、及びｙ軸方向の画素数が１２に表示されているが、実際には、両方向の画素数は数百になる。
【００２３】
以上のように、この第１の実施形態では、液晶パネル１６の画像を構成する各画素の表示の順序が点順次走査の順序と異なっているので、縦方向（ｙ軸方向）と横方向（ｘ軸方向）との動きが合成された斜め方向の周期的な動きによるちらつき、蛍光灯などの周辺照明による表示画面に対する干渉によるちらつき、あるいはビデオカメラによる撮影時の画面操作の周期と表示画面との干渉によるちらつきが抑制される。
【００２４】
第２の実施形態
図３は、この発明の第２の実施形態である画像表示装置の電気的構成を示すブロック図であり、第１の実施形態を示す図１中の要素と共通の要素には共通の符号が付されている。
この形態の画像表示装置では、図１中のアドレス発生回路１１に代えて、乱数発生回路２１が設けられている。乱数発生回路２１は、リセット信号Ｒによってリセットされた後、クロック信号ｃｋをカウントして乱数を発生する図示しない乱数発生部と、液晶パネル１６の全ての画素領域に対応するアドレスａ２１を予め保持し、同乱数に基づいて同アドレスａ２１を選択する図示しないメモリとを備えている。この乱数は、連続する各フレーム毎に同一である。アドレスデコーダ１２は、アドレスａ２１をデコードして１フレーム分の画素選択用アドレスａＭ，ａｘ，ａｙを出力する。他は、図１と同様の構成である。
【００２５】
次に、この形態の画像表示装置の動作について説明する。
この画像表示装置では、乱数発生回路２１がリセット信号Ｒによってリセットされた後、同乱数発生回路２１でクロック信号ｃｋがカウントされて乱数が生成され、同乱数に基づいてアドレスａ２１が予め設定された順序で選択されて出力される。アドレスａ２１はアドレスデコーダ１２でデコードされ、同アドレスデコーダ１２から画素選択用アドレスａＭ，ａｘ，ａｙが出力される。画像データメモリ１３では、記憶されているフレーム画像データから画素選択用アドレスａＭに対応する画素データＤＲ，ＤＧ，ＤＢが読み出される。画素データＤＲ，ＤＧ，ＤＢは、信号線駆動回路１４を経て液晶パネル１６の信号線Ｘ１，…，Ｘｎのうちの画素選択用アドレスａｘに対応する信号線に画素データＰＤとして送出される。また、走査線駆動回路１５では、液晶パネル１６の走査線Ｙ１，…，Ｙｍのうちの画素選択用アドレスａｙに対応する走査線に走査信号Ｖが送出される。液晶パネル１６では、各画素領域のうちの走査信号Ｖによって選択された画素領域に画素データＰＤが供給され、同画素データＰＤに対応した画像が表示される。
【００２６】
以上のように、この第２の実施形態では、液晶パネル１６の画像を構成する各画素の表示の順序が乱数に基づいて制御されるので、第１の実施形態とほぼ同様の利点がある。
【００２７】
第３の実施形態
図４は、この発明の第３の実施形態である電子機器の電気的構成を示すブロック図であり、第１の実施形態を示す図１中の要素と共通の要素には共通の符号が付されている。
この形態の電子機器は、図４に示すように、携帯情報端末であり、画像を表示するための表示部３１と、同表示部３１を制御するための制御部３２とを備え、同表示部３１と同制御部３２とが蝶番３３を介して接続された折り畳み式の筐体を有している。制御部３２には、アドレス発生回路１１、アドレスデコーダ１２、及び画像データメモリ１３が設けられている。表示部３１には、信号線駆動回路１４、走査線駆動回路１５、及び液晶パネル１６が設けられ、さらに、アドレス発生回路１１と同一構成のアドレス発生回路２１、及びアドレスデコーダ１２と同一構成のアドレスデコーダ２２が設けられている。アドレス発生回路２１は、リセット信号Ｒによってリセットされた後、クロック信号ｃｋをカウントしてカウント値を生成する図示しないカウンタと、液晶パネル１６の全ての画素領域に対応するアドレスａ１１を予め保持し、同カウント値に基づいて同アドレスａ２１を予め設定された順序で選択する図示しないメモリとを備えている。アドレスデコーダ２２は、アドレスａ２１をデコードして１フレーム分の画素選択用アドレスａｘ，ａｙを出力する。このため、蝶番３３の部分を通過する信号線は、リセット信号Ｒ用の信号線、クロック信号ｃｋ用の信号線、及び画素データＤＲ，ＤＧ，ＤＢ用の信号線となり、数十本程度になる。
【００２８】
次に、この形態の電子機器の動作について説明する。
この画像表示装置では、アドレス発生回路１１がリセット信号Ｒによってリセットされた後、同アドレス発生回路１１でクロック信号ｃｋがカウントされてカウント値が生成され、同カウント値に基づいてアドレスａ１１が予め設定された順序で選択されて出力される。アドレスａ１１はアドレスデコーダ１２でデコードされ、同アドレスデコーダ１２から画素選択用アドレスａＭが出力される。
また、アドレス発生回路２１がリセット信号Ｒによってリセットされた後、同アドレス発生回路２１でクロック信号ｃｋがカウントされてカウント値が生成され、同カウント値に基づいてアドレスａ２１が予め設定された順序で選択されて出力される。アドレスａ２１はアドレスデコーダ２２でデコードされ、同アドレスデコーダ２２から画素選択用アドレスａｘ，ａｙが出力される。
【００２９】
画像データメモリ１３では、記憶されているフレーム画像データから画素選択用アドレスａＭに対応する画素データＤＲ，ＤＧ，ＤＢが読み出される。画素データＤＲ，ＤＧ，ＤＢは、信号線駆動回路１４を経て液晶パネル１６の信号線Ｘ１，…，Ｘｎのうちの画素選択用アドレスａｘに対応する信号線に画素データＰＤとして送出される。また、走査線駆動回路１５では、液晶パネル１６の走査線Ｙ１，…，Ｙｍのうちの画素選択用アドレスａｙに対応する走査線に走査信号Ｖが送出される。液晶パネル１６では、各画素領域のうちの走査信号Ｖによって選択された画素領域に画素データＰＤが供給され、同画素データＰＤに対応した画像が表示される。
【００３０】
以上のように、この第３の実施形態では、表示部３１にアドレス発生回路２１及びアドレスデコーダ２２が設けられているので、蝶番３３の部分を通過する信号線が数十本程度になり、折り畳み式の筐体を有する携帯情報端末が容易に実現できる。
【００３１】
第４の実施形態
図５は、この発明の第４の実施形態である携帯情報端末の電気的構成を示すブロック図であり、第３の実施形態を示す図４中の要素と共通の要素には共通の符号が付されている。
この携帯情報端末では、図５に示すように、図４中の表示部３１及び制御部３２に代えて、異なる構成の表示部３１Ａ及び制御部３２Ａが設けられている。制御部３２Ａでは、図４中のアドレスデコーダ１２に代えて、異なる機能を有するアドレスデコーダ１２Ａが設けられている。表示部３１Ａでは、図４中のアドレスデコーダ２２に代えて、アドレスデコーダ１２Ａと同一構成のアドレスデコーダ２２Ａが設けられている。アドレスデコーダ１２Ａは、アドレスａ１１をデコードして液晶パネル１６の１フレームの画像を４つに分割した各ブロック画像ＢＬ１，ＢＬ２，ＢＬ３，ＢＬ４毎にアドレスａ１１を対応させてブロックアドレスを生成し、クロック信号ｃｋのカウント値に基づいて同各ブロックアドレスを予め設定された順序で選択して１フレーム分の画素選択用アドレスａＭＡを出力する。アドレスデコーダ２２Ａは、アドレスａ２１をデコードして画素選択用アドレスａｘ，ａｙを出力する。
【００３２】
この携帯情報端末では、アドレスａ１１がアドレスデコーダ１２Ａでデコードされ、ブロック画像ＢＬ１，ＢＬ２，ＢＬ３，ＢＬ４毎にアドレスａ１１を対応させてブロックアドレスが生成され、クロック信号ｃｋのカウント値に基づいて同各ブロックアドレスが予め設定された順序で選択されて１フレーム分の画素選択用アドレスａＭＡが出力される。同様に、アドレスａ２１がアドレスデコーダ２２Ａでデコードされ、画素選択用アドレスａｘ，ａｙが出力される。
【００３３】
画像データメモリ１３では、記憶されているフレーム画像データから画素選択用アドレスａＭＡに対応する画素データＤＲ，ＤＧ，ＤＢが読み出される。画素データＤＲ，ＤＧ，ＤＢは、信号線駆動回路１４を経て液晶パネル１６の信号線Ｘ１，…，Ｘｎのうちの画素選択用アドレスａｘに対応する信号線に画素データＰＤとして送出される。また、走査線駆動回路１５では、液晶パネル１６の走査線Ｙ１，…，Ｙｍのうちの画素選択用アドレスａｙに対応する走査線に走査信号Ｖが送出される。液晶パネル１６では、各画素領域のうちの走査信号Ｖによって選択された画素領域に画素データＰＤが供給され、図６に示すように、同画素データＰＤに対応したブロック画像ＢＬ１，ＢＬ２，ＢＬ３，ＢＬ４が予め設定された順序で表示される。
【００３４】
以上のように、この第４の実施形態では、ブロック画像ＢＬ１，ＢＬ２，ＢＬ３，ＢＬ４が予め設定された順序で表示されるので、第１の実施形態とほぼ同様の利点がある。
【００３５】
第５の実施形態
図７は、この発明の第５の実施形態である携帯情報端末の電気的構成を示すブロック図であり、第３の実施形態を示す図４中の要素と共通の要素には共通の符号が付されている。
この携帯情報端末では、図７に示すように、図４中の表示部３１及び制御部３２に代えて、異なる構成の表示部３１Ｂ及び制御部３２Ｂが設けられている。制御部３２Ｂでは、図４中のアドレスデコーダ１２に代えて、異なる機能を有するアドレスデコーダ１２Ｂが設けられている。表示部３１Ｂでは、図４中のアドレスデコーダ２２に代えて、アドレスデコーダ１２Ｂと同一構成のアドレスデコーダ２２Ｂが設けられている。アドレスデコーダ１２Ｂは、アドレスａ１１をデコードして液晶パネル１６の１フレームの画像を６つに分割した各ブロック画像ＢＬ１，ＢＬ２，ＢＬ３，ＢＬ４，ＢＬ５，ＢＬ６毎にアドレスａ１１を対応させてブロックアドレスを生成し、クロック信号ｃｋのカウント値に基づいて同各ブロックアドレスを予め設定された順序で選択して１フレーム分の画素選択用アドレスａＭＢを出力する。アドレスデコーダ２２Ｂは、アドレスａ２１をデコードして画素選択用アドレスａｘ，ａｙを出力する。
【００３６】
この携帯情報端末では、アドレスａ１１がアドレスデコーダ１２Ｂでデコードされ、ブロック画像ＢＬ１，ＢＬ２，ＢＬ３，ＢＬ４，ＢＬ５，ＢＬ６毎にアドレスａ１１を対応させてブロックアドレスが生成され、クロック信号ｃｋのカウント値に基づいて同各ブロックアドレスが予め設定された順序で選択されて１フレーム分の画素選択用アドレスａＭＢが出力される。同様に、アドレスａ２１がアドレスデコーダ２２Ｂでデコードされ、画素選択用アドレスａｘ，ａｙが出力される。
【００３７】
画像データメモリ１３では、記憶されているフレーム画像データから画素選択用アドレスａＭＢに対応する画素データＤＲ，ＤＧ，ＤＢが読み出される。画素データＤＲ，ＤＧ，ＤＢは、信号線駆動回路１４を経て液晶パネル１６の信号線Ｘ１，…，Ｘｎのうちの画素選択用アドレスａｘに対応する信号線に画素データＰＤとして送出される。また、走査線駆動回路１５では、液晶パネル１６の走査線Ｙ１，…，Ｙｍのうちの画素選択用アドレスａｙに対応する走査線に走査信号Ｖが送出される。液晶パネル１６では、各画素領域のうちの走査信号Ｖによって選択された画素領域に画素データＰＤが供給され、図８に示すように、同画素データＰＤに対応したブロック画像ＢＬ１，ＢＬ２，ＢＬ３，ＢＬ４，ＢＬ５，ＢＬ６が予め設定された順序で表示される。
【００３８】
以上のように、この第５の実施形態では、ブロック画像ＢＬ１，ＢＬ２，ＢＬ３，ＢＬ４，ＢＬ５，ＢＬ６が予め設定された順序で表示されるので、第１の実施形態とほぼ同様の利点がある。
【００３９】
第６の実施形態
図９は、この発明の第６の実施形態である携帯情報端末の電気的構成を示すブロック図であり、第３の実施形態を示す図４中の要素と共通の要素には共通の符号が付されている。
この携帯情報端末では、図９に示すように、図４中の表示部３１及び制御部３２に代えて、異なる構成の表示部３１Ｃ及び制御部３２Ｃが設けられている。
制御部３２Ｃでは、図４中のアドレスデコーダ１２に代えて、異なる機能を有するアドレスデコーダ１２Ｃが設けられている。表示部３１Ｃでは、図４中のアドレスデコーダ２２に代えて、アドレスデコーダ１２Ｃと同一構成のアドレスデコーダ２２Ｃが設けられている。アドレスデコーダ１２Ｃは、アドレスａ１１をデコードして液晶パネル１６の１フレームの画像を縦方向に５つに分割した各ブロック画像ＢＬ１，ＢＬ２，ＢＬ３，ＢＬ４，ＢＬ５毎にアドレスａ１１を対応させてブロックアドレスを生成し、クロック信号ｃｋのカウント値に基づいて同各ブロックアドレスを予め設定された順序で選択して１フレーム分の画素選択用アドレスａＭＣを出力する。アドレスデコーダ２２Ｃは、アドレスａ２１をデコードして画素選択用アドレスａｘ，ａｙを出力する。
【００４０】
この携帯情報端末では、アドレスａ１１がアドレスデコーダ１２Ｃでデコードされ、ブロック画像ＢＬ１，ＢＬ２，ＢＬ３，ＢＬ４，ＢＬ５毎にアドレスａ１１を対応させてブロックアドレスが生成され、クロック信号ｃｋのカウント値に基づいて同各ブロックアドレスが予め設定された順序で選択されて１フレーム分の画素選択用アドレスａＭＣが出力される。同様に、アドレスａ２１がアドレスデコーダ２２Ｃでデコードされ、画素選択用アドレスａｘ，ａｙが出力される。
【００４１】
画像データメモリ１３では、記憶されているフレーム画像データから画素選択用アドレスａＭＣに対応する画素データＤＲ，ＤＧ，ＤＢが読み出される。画素データＤＲ，ＤＧ，ＤＢは、信号線駆動回路１４を経て液晶パネル１６の信号線Ｘ１，…，Ｘｎのうちの画素選択用アドレスａｘに対応する信号線に画素データＰＤとして送出される。また、走査線駆動回路１５では、液晶パネル１６の走査線Ｙ１，…，Ｙｍのうちの画素選択用アドレスａｙに対応する走査線に走査信号Ｖが送出される。液晶パネル１６では、各画素領域のうちの走査信号Ｖによって選択された画素領域に画素データＰＤが供給され、図１０に示すように、同画素データＰＤに対応したブロック画像ＢＬ１，ＢＬ２，ＢＬ３，ＢＬ４，ＢＬ５が予め設定された順序で表示される。
【００４２】
以上のように、この第６の実施形態では、ブロック画像ＢＬ１，ＢＬ２，ＢＬ３，ＢＬ４，ＢＬ５が予め設定された順序で表示されるので、第１の実施形態とほぼ同様の利点がある。
【００４３】
第７の実施形態
図１１は、この発明の第６の実施形態である携帯情報端末の電気的構成を示すブロック図であり、第３の実施形態を示す図４中の要素と共通の要素には共通の符号が付されている。
この携帯情報端末では、図１１に示すように、図４中の表示部３１及び制御部３２に代えて、異なる構成の表示部３１Ｄ及び制御部３２Ｄが設けられている。制御部３２Ｄでは、図４中のアドレスデコーダ１２に代えて、異なる機能を有するアドレスデコーダ１２Ｄが設けられている。表示部３１Ｄでは、図４中のアドレスデコーダ２２に代えて、アドレスデコーダ１２Ｄと同一構成のアドレスデコーダ２２Ｄが設けられている。アドレスデコーダ１２Ｄは、アドレスａ１１をデコードして液晶パネル１６の１フレームの画像を各ブロック画像ＢＬ１，ＢＬ２，ＢＬ３，ＢＬ４，ＢＬ５毎にアドレスａ１１を対応させてブロックアドレスを生成し、クロック信号ｃｋのカウント値に基づいて同各ブロックアドレスを予め設定された順序で選択して１フレーム分の画素選択用アドレスａＭＤを出力する。アドレスデコーダ２２Ｄは、アドレスａ２１をデコードして画素選択用アドレスａｘ，ａｙを出力する。
【００４４】
この携帯情報端末では、アドレスａ１１がアドレスデコーダ１２Ｄでデコードされ、ブロック画像ＢＬ１，ＢＬ２，ＢＬ３，ＢＬ４，ＢＬ５毎にアドレスａ１１を対応させてブロックアドレスが生成され、クロック信号ｃｋのカウント値に基づいて同各ブロックアドレスが予め設定された順序で選択されて１フレーム分の画素選択用アドレスａＭＤが出力される。同様に、アドレスａ２１がアドレスデコーダ２２Ｄでデコードされ、画素選択用アドレスａｘ，ａｙが出力される。
【００４５】
画像データメモリ１３では、記憶されているフレーム画像データから画素選択用アドレスａＭＤに対応する画素データＤＲ，ＤＧ，ＤＢが読み出される。画素データＤＲ，ＤＧ，ＤＢは、信号線駆動回路１４を経て液晶パネル１６の信号線Ｘ１，…，Ｘｎのうちの画素選択用アドレスａｘに対応する信号線に画素データＰＤとして送出される。また、走査線駆動回路１５では、液晶パネル１６の走査線Ｙ１，…，Ｙｍのうちの画素選択用アドレスａｙに対応する走査線に走査信号Ｖが送出される。液晶パネル１６では、各画素領域のうちの走査信号Ｖによって選択された画素領域に画素データＰＤが供給され、図１２に示すように、同画素データＰＤに対応したブロック画像ＢＬ１，ＢＬ２，ＢＬ３，ＢＬ４，ＢＬ５が予め設定された順序で表示される。
【００４６】
以上のように、この第７の実施形態では、横方向に５つに分割されたブロック画像ＢＬ１，ＢＬ２，ＢＬ３，ＢＬ４，ＢＬ５が予め設定された順序で表示されるので、第１の実施形態とほぼ同様の利点がある。
【００４７】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、液晶パネル１６は、ＥＬ（エレクトロ・ルミネセンス）でも良い。ただし、信号線駆動回路１４や走査線駆動回路１５などは、ＥＬに対応したものにする必要がある。また、乱数発生回路２１で発生する乱数は、擬似乱数でも良い。また、この乱数は、実施形態では、連続する各フレーム毎に同一であるが、各フレーム毎に異なるものでも上記実施形態とほぼ同様の作用、効果が得られる。また、第３の実施形態を示す図４、第４の実施形態を示す図５、第５の実施形態を示す図７、第６の実施形態を示す図９、及び第７の実施形態を示す図１１では、アドレス発生回路１１に代えて、第２の実施形態を示す図３中の乱数発生回路２１を設けても上記実施形態とほぼ同様の作用、効果が得られる。
【００４８】
【発明の効果】
以上説明したように、この発明の構成によれば、表示パネル、第２のアドレス発生部、信号線駆動回路及び走査線駆動回路が表示部に設けられ、かつ、第１のアドレス発生部及び画像データ記憶部が制御部に設けられているので、蝶番の部分を通過する信号線を数十本程度に減らすことができ、折り畳み式の筐体を有する電子機器が容易に実現できる。
【図面の簡単な説明】
0003596516.tif 000004
液晶パネル１６に表示される画素の順序を示す図である。
【図３】この発明の第２の実施形態である画像表示装置の電気的構成を示すブロック図である。
【図４】この発明の第３の実施形態である電子機器の電気的構成を示すブロック図である。
【図５】この発明の第４の実施形態である携帯情報端末の電気的構成を示すブロック図である。
【図６】ブロック画像ＢＬ１，ＢＬ２，ＢＬ３，ＢＬ４の表示状態を示す図である。
【図７】この発明の第５の実施形態である携帯情報端末の電気的構成を示すブロック図である。
【図８】ブロック画像ＢＬ１，ＢＬ２，ＢＬ３，ＢＬ４，ＢＬ５，ＢＬ６の表示状態を示す図である。
【図９】この発明の第６の実施形態である携帯情報端末の電気的構成を示すブロック図である。
【図１０】ブロック画像ＢＬ１，ＢＬ２，ＢＬ３，ＢＬ４，ＢＬ５の表示状態を示す図である。
【図１１】この発明の第６の実施形態である携帯情報端末の電気的構成を示すブロック図である。
【図１２】ブロック画像ＢＬ１，ＢＬ２，ＢＬ３，ＢＬ４，ＢＬ５表示状態を示す図である。
【図１３】従来の画像表示装置の電気的構成を示すブロック図である。
【図１４】液晶パネル６に表示される画素の順序を示す図である。
【符号の説明】
１１，２１      アドレス発生回路（アドレス発生部）
１２，１２Ａ，１２Ｂ，１２Ｃ，１２Ｄ，２２，２２Ａ，２２Ｂ，２２Ｃ，
２２Ｄ      アドレスデコーダ（アドレス発生部）
１３      画像データメモリ（画像データ記憶部）
１４      信号線駆動回路
１５      走査線駆動回路
１６      液晶パネル（表示パネル）
２１      乱数発生回路（アドレス発生部）
３１，３１Ａ，３１Ｂ，３１Ｃ，３１Ｄ      表示部
３２，３２Ａ，３２Ｂ，３２Ｃ，３２Ｄ      制御部
３３      蝶番
【図１】
0003596516.tif 000005
【図２】
0003596516.tif 000006
【図３】
0003596516.tif 000007
【図４】
0003596516.tif 000008
【図５】
0003596516.tif 000009
【図６】
0003596516.tif 000010
【図７】
0003596516.tif 000011
【図８】
0003596516.tif 000012
【図９】
0003596516.tif 000013
【図１０】
0003596516.tif 000014
【図１１】
0003596516.tif 000015
【図１２】
0003596516.tif 000016
【図１３】
0003596516.tif 000017
【図１４】
0003596516.tif 000018